(57)【要約】【課題】ワイヤレスマイクロホンごとに表示手段を設ける必要がなく、コストダウンに好適なワイヤレスマイクロホン識別番号表示装置及び表示方法を提供すること。【解決手段】ワイヤレスマイクロホン１０に、予め設定されたワイヤレスマイクロホンＩＤをワイヤレスマイクロホンクレイドル１１に送出するワイヤレスマイクロホンＩＤ送出手段１を設ける。また、ワイヤレスマイクロホンクレイドル１１には、装着されているワイヤレスマイクロホン１０から送られたワイヤレスマイクロホンＩＤを受け取るワイヤレスマイクロホンＩＤ取得手段３と、受け取ったワイヤレスマイクロホンＩＤを表示するワイヤレスマイクロホンＩＤ表示手段２とを設ける。ワイヤレスマイクロホン１０がワイヤレスマイクロホンクレイドル１１に装着された場合に、ワイヤレスマイクロホンＩＤ表示手段２により、ワイヤレスマイクロホンＩＤ取得手段３によって取得されたワイヤレスマイクロホンＩＤを表示する。【選択図】　　　　図１
2004015123.tif 000002
【特許請求の範囲】
【請求項１】
入力されたオーディオ信号を伝送するワイヤレスマイクロホンと、このワイヤレスマイクロホンが着脱されるアダプタとを備え、前記ワイヤレスマイクロホンは、あらかじめ付与されたワイヤレスマイクロホン識別番号を送出するワイヤレスマイクロホン識別番号送出手段を備え、前記アダプタは、前記ワイヤレスマイクロホン識別番号送出手段により送出されたワイヤレスマイクロホン識別番号を取得するワイヤレスマイクロホン識別番号取得手段と、このワイヤレスマイクロホン識別番号取得手段により取得されたワイヤレスマイクロホン識別番号を表示するワイヤレスマイクロホン識別番号表示手段とを備え、前記ワイヤレスマイクロホンが前記アダプタに装着された場合に、前記ワイヤレスマイクロホン識別番号送出手段は前記ワイヤレスマイクロホン識別番号取得手段に対して当該ワイヤレスマイクロホン識別番号を送出し、前記ワイヤレスマイクロホン識別番号表示手段は、前記ワイヤレスマイクロホン識別番号取得手段により取得された当該ワイヤレスマイクロホン識別番号を表示することを特徴とするワイヤレスマイクロホン識別番号表示装置。
【請求項２】
前記アダプタは、前記ワイヤレスマイクロホン識別番号表示手段に表示されているワイヤレスマイクロホン識別番号を変更するワイヤレスマイクロホン識別番号変更手段と、このワイヤレスマイクロホン識別番号変更手段により変更されたワイヤレスマイクロホン識別番号を前記ワイヤレスマイクロホンに送出する変更ワイヤレスマイクロホン識別番号送出手段とを備え、前記ワイヤレスマイクロホンは、前記変更ワイヤレスマイクロホン識別番号送出手段により送出された前記変更されたワイヤレスマイクロホン識別番号を取得する変更ワイヤレスマイクロホン識別番号取得手段と、既存のワイヤレスマイクロホン識別番号を、前記変更ワイヤレスマイクロホン識別番号取得手段により取得されたワイヤレスマイクロホン識別番号に更新して設定する変更ワイヤレスマイクロホン識別番号設定手段とを備えたことを特徴とする請求項１に記載のワイヤレスマイクロホン識別番号表示装置。
【請求項３】
前記アダプタは、前記ワイヤレスマイクロホン識別番号取得手段により取得されたワイヤレスマイクロホン識別番号及び前記ワイヤレスマイクロホン識別番号変更手段により変更されたワイヤレスマイクロホン識別番号を編集し、編集された複数のワイヤレスマイクロホン識別番号を前記ワイヤレスマイクロホン識別番号表示手段に表示させるワイヤレスマイクロホン識別番号複数表示編集手段を備えたことを特徴とする請求項２に記載のワイヤレスマイクロホン識別番号表示装置。
【請求項４】
入力されたオーディオ信号を伝送するワイヤレスマイクロホンが着脱されるアダプタに、前記ワイヤレスマイクロホンが装着されたか否かを判断する第１のステップと、この第１のステップで、前記ワイヤレスマイクロホンが前記アダプタに装着されたと判断された場合に、前記ワイヤレスマイクロホンに付与されたワイヤレスマイクロホン識別番号を前記ワイヤレスマイクロホンから、前記アダプタに対して送出する第２のステップと、この第２のステップで送出されたワイヤレスマイクロホン識別番号を前記アダプタにて取得する第３のステップと、この第３のステップで取得されたワイヤレスマイクロホン識別番号を前記アダプタにて表示する第４のステップとを実行することを特徴とするワイヤレスマイクロホン識別番号表示方法。
【発明の詳細な説明】
【０００１】
【発明の属する技術分野】
本発明は、装着されたワイヤレスマイクロホンの識別番号（以下、ＩＤともいう）を表示するワイヤレスマイクロホン識別番号表示装置および表示方法に関するものである。
【０００２】
【従来の技術】
従来、この種のワイヤレスマイクロホン識別番号表示装置は、ワイヤレスマイクロホンの周波数設定を一元管理するマイクロコンピュータと、それぞれのワイヤレスマイクロホンに設けられたディップスイッチまたはロータリースイッチと、このディップスイッチまたはロータリースイッチで設定された番号（ワイヤレスマイクロホンのＩＤを含む）により周波数を選択するのに用いられる「番号と周波数の変換テーブル」と、それぞれのワイヤレスマイクロホンに設けられたＩＤ表示部とを備え、前記マイクロコンピュータが前記番号と周波数の変換テーブルにより送信機と受信機が通信を行うための周波数を選択するものであった。
【０００３】
なお、従来のアナログワイヤレスシステムとディジタルワイヤレスシステムの最も大きな違いは、ディジタルワイヤレスシステムにおいて周波数選択のための設定をマイクロコンピュータが一元管理し、ワイヤレスマイクロホン（送信機）のＩＤを、双方向通信によって設定及び確認できることである。
【０００４】
【発明が解決しようとする課題】
しかし、このような従来のワイヤレスマイクロホン識別番号表示装置では、マイクロコンピュータが一元管理している複数のワイヤレスマイクロホンのＩＤを表示するには、それぞれのワイヤレスマイクロホンに表示手段を設ける必要があるために、コストアップにつながるという問題があった。また、このような従来のワイヤレスマイクロホン識別番号表示装置では、ワイヤレスマイクロホンのそれぞれにおいて液晶等によりＩＤを表示するために、ワイヤレスマイクロホンのそれぞれに表示用の電源が必要であるという問題があった。なお、多数本のワイヤレスマイクロホンを同時に使用する場合には、多数本のワイヤレスマイクロホンのＩＤを管理することが重要である。
【０００５】
本発明は、このような問題を解決するためになされたもので、ワイヤレスマイクロホンごとに表示手段を設ける必要がなく、コストダウンに好適なワイヤレスマイクロホン識別番号表示装置及び表示方法を提供するものである。
【０００６】
【課題を解決するための手段】
本発明のワイヤレスマイクロホン識別番号表示装置は、入力されたオーディオ信号を伝送するワイヤレスマイクロホンと、このワイヤレスマイクロホンが着脱されるアダプタとを備え、前記ワイヤレスマイクロホンは、あらかじめ付与されたワイヤレスマイクロホン識別番号を送出するワイヤレスマイクロホン識別番号送出手段を備え、前記アダプタは、前記ワイヤレスマイクロホン識別番号送出手段により送出されたワイヤレスマイクロホン識別番号を取得するワイヤレスマイクロホン識別番号取得手段と、このワイヤレスマイクロホン識別番号取得手段により取得されたワイヤレスマイクロホン識別番号を表示するワイヤレスマイクロホン識別番号表示手段とを備え、前記ワイヤレスマイクロホンが前記アダプタに装着された場合に、前記ワイヤレスマイクロホン識別番号送出手段は前記ワイヤレスマイクロホン識別番号取得手段に対して当該ワイヤレスマイクロホン識別番号を送出し、前記ワイヤレスマイクロホン識別番号表示手段は、前記ワイヤレスマイクロホン識別番号取得手段により取得された当該ワイヤレスマイクロホン識別番号を表示する構成を有している。この構成により、ワイヤレスマイクロホンＩＤを当該ワイヤレスマイクロホンが装着されているアダプタ（ワイヤレスマイクロホンクレイドル）を介して表示するので、入力されたオーディオ信号を送信するワイヤレスマイクロホン（送信機）ごとにＩＤ表示手段を設けずに済む。よって、コストダウンがはかれると共に、ワイヤレスマイクロホンで運用する周波数の管理が一元化され、誤設定を排除できる。
【０００７】
また、本発明のワイヤレスマイクロホン識別番号表示装置は、前記アダプタは、前記ワイヤレスマイクロホン識別番号表示手段に表示されているワイヤレスマイクロホン識別番号を変更するワイヤレスマイクロホン識別番号変更手段と、このワイヤレスマイクロホン識別番号変更手段により変更されたワイヤレスマイクロホン識別番号を前記ワイヤレスマイクロホンに送出する変更ワイヤレスマイクロホン識別番号送出手段とを備え、前記ワイヤレスマイクロホンは、前記変更ワイヤレスマイクロホン識別番号送出手段により送出された前記変更されたワイヤレスマイクロホン識別番号を取得する変更ワイヤレスマイクロホン識別番号取得手段と、既存のワイヤレスマイクロホン識別番号を、前記変更ワイヤレスマイクロホン識別番号取得手段により取得されたワイヤレスマイクロホン識別番号に更新して設定する変更ワイヤレスマイクロホン識別番号設定手段とを備えた構成を有している。この構成により、さらにアダプタ上でワイヤレスマイクロホンＩＤを変更するように構成したので、ワイヤレスマイクロホンＩＤ変更時の操作性及びワイヤレスマイクロホンＩＤ設定の編集効率が向上する。
【０００８】
また、本発明のワイヤレスマイクロホン識別番号表示装置は、前記アダプタは、前記ワイヤレスマイクロホン識別番号取得手段により取得されたワイヤレスマイクロホン識別番号及び前記ワイヤレスマイクロホン識別番号変更手段により変更されたワイヤレスマイクロホン識別番号を編集し、編集された複数のワイヤレスマイクロホン識別番号を前記ワイヤレスマイクロホン識別番号表示手段に表示させるワイヤレスマイクロホン識別番号複数表示編集手段を備えた構成を有している。この構成により、さらにワイヤレスマイクロホンから送出されたワイヤレスマイクロホンＩＤ及び変更されたワイヤレスマイクロホンＩＤを複数表示及び編集するので、複数のワイヤレスマイクロホンが同時に使用される場合等のワイヤレスマイクロホンＩＤの管理効率が向上する。
【０００９】
さらに、本発明のワイヤレスマイクロホン識別番号表示方法は、入力されたオーディオ信号を伝送するワイヤレスマイクロホンが着脱されるアダプタに、前記ワイヤレスマイクロホンが装着されたか否かを判断する第１のステップと、この第１のステップで、前記ワイヤレスマイクロホンが前記アダプタに装着されたと判断された場合に、前記ワイヤレスマイクロホンに付与されたワイヤレスマイクロホン識別番号を前記ワイヤレスマイクロホンから、前記アダプタに対して送出する第２のステップと、この第２のステップで送出されたワイヤレスマイクロホン識別番号を前記アダプタにて取得する第３のステップと、この第３のステップで取得されたワイヤレスマイクロホン識別番号を前記アダプタにて表示する第４のステップとを実行している。この方法により、ワイヤレスマイクロホンごとにワイヤレスマイクロホンＩＤの表示手段を設ける必要がなくなるので、コストダウンがはかれる。
【００１０】
【発明の実施の形態】
以下、本発明の実施の形態について、図面を用いて説明する。
［第１の実施の形態］
図１に示すように、本発明の第１の実施の形態のワイヤレスマイクロホン識別番号表示装置は、入力されたオーディオ信号を伝送するワイヤレスマイクロホン１０と、このワイヤレスマイクロホン１０が着脱されるワイヤレスマイクロホンクレイドル１１（アダプタに含まれる）とを備え、ワイヤレスマイクロホン１０に、あらかじめ付与されたワイヤレスマイクロホン識別番号（ＩＤ）を送出するワイヤレスマイクロホンＩＤ送出手段１を備え、ワイヤレスマイクロホンクレイドル１１に、ワイヤレスマイクロホンＩＤ送出手段１により送出されたワイヤレスマイクロホンＩＤを取得するワイヤレスマイクロホンＩＤ取得手段３と、このワイヤレスマイクロホンＩＤ取得手段３により取得されたワイヤレスマイクロホンＩＤを表示するワイヤレスマイクロホンＩＤ表示手段２とを備え、ワイヤレスマイクロホン１０がワイヤレスマイクロホンクレイドル１１に装着された場合に、ワイヤレスマイクロホンＩＤ送出手段１はワイヤレスマイクロホンＩＤ取得手段３に対して当該ワイヤレスマイクロホンＩＤを送出し、ワイヤレスマイクロホンＩＤ表示手段２は、ワイヤレスマイクロホンＩＤ取得手段３により取得された当該ワイヤレスマイクロホンＩＤを表示するものである。なお、本実施の形態は、請求項１、請求項４に係る発明が適用されたものである。
【００１１】
図１において、ワイヤレスマイクロホン１０は、入力されたオーディオ信号を送信する送信部、あらかじめ付与されたワイヤレスマイクロホンＩＤを記憶する記憶部、ワイヤレスマイクロホンクレイドル１１とのインタフェース部、及び制御部を備え、ワイヤレスマイクロホンクレイドル１１に着脱可能なように構成されている。前記制御部には、ワイヤレスマイクロホン１０がワイヤレスマイクロホンクレイドル１１に装着されたか否かを判断する装着検知部が含まれている。ワイヤレスマイクロホンＩＤ送出手段１は、ワイヤレスマイクロホン１０のインタフェース部に含まれ、このワイヤレスマイクロホン１０がワイヤレスマイクロホンクレイドル１１に装着されたと判断された場合に、ワイヤレスマイクロホンＩＤを送出するものである。
【００１２】
ワイヤレスマイクロホンクレイドル１１は、個人用情報機器（ＰＤＡ（商品名）を含む）に使用されるクレイドルに準じるアダプタであり、少なくとも、ポインティングデバイスなどの入力部、液晶表示器などの表示部、フラッシュメモリなどの記憶部、ワイヤレスマイクロホンＩＤとの間のインタフェース機能を有するインタフェース部、各部の動作を制御する制御部（マルチタスクＯＳを含む）を有するものである。また、ワイヤレスマイクロホンクレイドル１１には、複数のワイヤレスマイクロホンが着脱可能なように構成されている。ワイヤレスマイクロホンＩＤ取得手段３は、ワイヤレスマイクロホンクレイドル１１のインタフェース部によって実現され、ワイヤレスマイクロホンＩＤ送出手段１より送出されたワイヤレスマイクロホンＩＤを取得し、ワイヤレスマイクロホンＩＤ表示手段２に渡すものである。ワイヤレスマイクロホンＩＤ表示手段２は、ワイヤレスマイクロホンクレイドル１１の表示部によって実現され、ワイヤレスマイクロホンＩＤ取得手段３により取得されたワイヤレスマイクロホンＩＤを表示するものである。
【００１３】
以下、本実施の形態のワイヤレスマイクロホン識別番号表示方法について説明する。このワイヤレスマイクロホン識別番号表示方法には、以下に示すステップＳ１０１からステップＳ１０４が含まれている。
【００１４】
まず、ワイヤレスマイクロホン１０では、前記装着検知部によりワイヤレスマイクロホン１０がワイヤレスマイクロホンクレイドル１１に装着されたか否かを判断する（ステップＳ１０１：第１のステップに含まれる）。
【００１５】
次いで、ワイヤレスマイクロホン１０では、第１のステップでワイヤレスマイクロホン１０がワイヤレスマイクロホンクレイドル１１に装着されたと判断された場合に、ワイヤレスマイクロホンＩＤ送出手段１により、ワイヤレスマイクロホン１０に付与されたワイヤレスマイクロホンＩＤをワイヤレスマイクロホン１０から、ワイヤレスマイクロホンクレイドル１１に対して送出する（ステップＳ１０２：第２のステップに含まれる）。
【００１６】
次いで、ワイヤレスマイクロホンクレイドル１１では、ワイヤレスマイクロホンＩＤ取得手段３により、第２のステップでワイヤレスマイクロホンＩＤ送出手段１により送出されたワイヤレスマイクロホンＩＤを取得してワイヤレスマイクロホンＩＤ表示手段２に渡す（ステップＳ１０３：第３のステップに含まれる）。
【００１７】
次いで、ワイヤレスマイクロホンクレイドル１１では、第３のステップでワイヤレスマイクロホンＩＤ取得手段３により取得され、ワイヤレスマイクロホンＩＤ表示手段２に渡されたワイヤレスマイクロホンＩＤをワイヤレスマイクロホンＩＤ表示手段２により表示する（ステップＳ１０４：第４のステップに含まれる）。
【００１８】
以上のように、本発明の第１の実施の形態のワイヤレスマイクロホン識別番号表示装置は、入力されたオーディオ信号を伝送するワイヤレスマイクロホン１０と、このワイヤレスマイクロホン１０が着脱されるワイヤレスマイクロホンクレイドル１１（アダプタに含まれる）とを備え、ワイヤレスマイクロホン１０に、あらかじめ付与されたワイヤレスマイクロホン識別番号（ＩＤ）を送出するワイヤレスマイクロホンＩＤ送出手段１を備え、ワイヤレスマイクロホンクレイドル１１に、ワイヤレスマイクロホンＩＤ送出手段１により送出されたワイヤレスマイクロホンＩＤを取得するワイヤレスマイクロホンＩＤ取得手段３と、このワイヤレスマイクロホンＩＤ取得手段３により取得されたワイヤレスマイクロホンＩＤを表示するワイヤレスマイクロホンＩＤ表示手段２とを備え、ワイヤレスマイクロホン１０がワイヤレスマイクロホンクレイドル１１に装着された場合に、ワイヤレスマイクロホンＩＤ送出手段１はワイヤレスマイクロホンＩＤ取得手段３に対して当該ワイヤレスマイクロホンＩＤを送出し、ワイヤレスマイクロホンＩＤ表示手段２は、ワイヤレスマイクロホンＩＤ取得手段３により取得された当該ワイヤレスマイクロホンＩＤを表示しているので、ワイヤレスマイクロホンクレイドル１１に接続されたワイヤレスマイクロホン１０ごとにワイヤレスマイクロホンＩＤ表示手段を設ける必要がなくなり、コストダウンの効果が出る。特に、多数本のワイヤレスマイクロホンを同時に使用する場合のコストダウン効果が著しい。
【００１９】
［第２の実施の形態］
図２は本発明の第２の実施の形態の要部ブロック図を示す。なお、本実施の形態は、請求項２に係る発明が適用されたものである。これは第１の実施の形態とは、さらにワイヤレスマイクロホンクレイドル１１（アダプタに含まれる）に、ワイヤレスマイクロホンＩＤ表示手段２に表示されているワイヤレスマイクロホンＩＤを変更するワイヤレスマイクロホンＩＤ変更手段４と、このワイヤレスマイクロホンＩＤ変更手段により変更されたワイヤレスマイクロホンＩＤをワイヤレスマイクロホン１０に送出する変更ワイヤレスマイクロホンＩＤ送出手段５とを備え、ワイヤレスマイクロホン１０に、変更ワイヤレスマイクロホンＩＤ送出手段５により送出された前記変更されたワイヤレスマイクロホンＩＤを取得する変更ワイヤレスマイクロホンＩＤ取得手段６と、既存のワイヤレスマイクロホンＩＤを、変更ワイヤレスマイクロホンＩＤ取得手段６により取得されたワイヤレスマイクロホンＩＤに更新して設定する変更ワイヤレスマイクロホンＩＤ設定手段７とを備えた点が相違している。この構成によれば、ワイヤレスマイクロホンクレイドル１１にワイヤレスマイクロホンＩＤ変更手段４を持たせることにより、ワイヤレスマイクロホンＩＤの変更が容易になり、操作性が向上するという効果も得られる。
【００２０】
図２において、ワイヤレスマイクロホンクレイドル１１は、個人用情報機器（ＰＤＡ（商品名）を含む）に使用される中継装置（アダプタ）であって、少なくとも、ポインティングデバイスなどの入力部、液晶表示器などの表示部、フラッシュメモリなどの記憶部、ワイヤレスマイクロホン１０との間のインタフェース機能を実現するインタフェース部、各部の動作を制御する制御部（マルチタスクＯＳを含む）を実現するものである。また、ワイヤレスマイクロホンクレイドル１１には、ワイヤレスマイクロホンクレイドル１１の動作用電源が供給され、この電源が所定値以上の電圧を保持するように構成されている。ワイヤレスマイクロホンＩＤ取得手段３は、ワイヤレスマイクロホンクレイドル１１のインタフェース部に含まれ、ワイヤレスマイクロホンＩＤ送出手段１より送出されたワイヤレスマイクロホンＩＤを取得し、ワイヤレスマイクロホンＩＤ表示手段２に渡すものである。ワイヤレスマイクロホンＩＤ表示手段２は、ワイヤレスマイクロホンクレイドル１１の表示部によって実現され、ワイヤレスマイクロホンＩＤ取得手段３により取得されたワイヤレスマイクロホンＩＤを表示するものである。また、ワイヤレスマイクロホンＩＤ表示手段２は、ワイヤレスマイクロホンＩＤ変更手段４から渡された変更後のワイヤレスマイクロホンＩＤを受け取って表示するものである。ワイヤレスマイクロホンＩＤ変更手段４は、ワイヤレスマイクロホンクレイドル１１の制御部の機能によって実現され、ワイヤレスマイクロホンＩＤ表示手段２によって表示されているワイヤレスマイクロホンＩＤを変更して、変更後のワイヤレスマイクロホンＩＤを変更ワイヤレスマイクロホンＩＤ送出手段５に渡すものである。変更ワイヤレスマイクロホンＩＤ送出手段５は、ワイヤレスマイクロホンクレイドル１１のインタフェース部によって実現され、ワイヤレスマイクロホンＩＤ変更手段４から渡された変更後のワイヤレスマイクロホンＩＤを変更ワイヤレスマイクロホンＩＤ取得手段６に送出するものである。
【００２１】
一方、ワイヤレスマイクロホン１０は、入力されたオーディオ信号を送信する送信部、あらかじめ付与されたワイヤレスマイクロホンＩＤを記憶する記憶部、ワイヤレスマイクロホンクレイドル１１との間のインタフェース部、各部の動作を制御する制御部を備え、ワイヤレスマイクロホンクレイドル１１に着脱可能なように構成されている。また、ワイヤレスマイクロホン１０には、ワイヤレスマイクロホン１０の動作用電源（通常は乾電池もしくは充電電池）が装着され、この電源が所定値以上の電圧を保持している場合に動作するように構成されている。ワイヤレスマイクロホンＩＤ送出手段１は、ワイヤレスマイクロホン１０のインタフェース部によって実現され、このワイヤレスマイクロホン１０がワイヤレスマイクロホンクレイドル１１に装着されたと判断された場合に、ワイヤレスマイクロホンＩＤを送出するものである。なお、ワイヤレスマイクロホン１０には、このワイヤレスマイクロホン１０がワイヤレスマイククレイドル１１に装着されたか否かを判断する装着検知部が設けられている。変更ワイヤレスマイクロホンＩＤ取得手段６は、ワイヤレスマイクロホン１０のインタフェース部によって実現され、ワイヤレスマイクロホンクレイドル１１の変更ワイヤレスマイクロホンＩＤ送出手段５から送出されたワイヤレスマイクロホンＩＤを取得する。変更ワイヤレスマイクロホンＩＤ設定手段７は、ワイヤレスマイクロホン１０の制御部の機能によって実現され、変更ワイヤレスマイクロホンＩＤ取得手段６により取得されたワイヤレスマイクロホンＩＤをワイヤレスマイクロホン１０の動作に反映させるものである。
【００２２】
次に、本実施の形態のワイヤレスマイクロホン識別番号変更表示方法について説明する。このワイヤレスマイクロホン識別番号変更表示方法には、以下に示すステップＳ２０１からステップＳ２０４が含まれている。なお、ワイヤレスマイクロホンＩＤ表示に関しては第１の実施の形態と同様であるために、説明を省略する。
【００２３】
本実施の形態では、何らかの理由でワイヤレスマイクロホンＩＤを変更しなければならない場合に、ワイヤレスマイクロホンＩＤ変更手段４によって当該ワイヤレスマイクロホンＩＤが変更される。具体的には、ワイヤレスマイクロホンクレイドル１１のワイヤレスマイクロホンＩＤ表示手段２に表示されている当該ワイヤレスマイクロホンＩＤを前記入力手段により入力されたワイヤレスマイクロホンＩＤに変更する機能を、前記制御部によって実行させる（ステップＳ２０１）。
【００２４】
次いで、変更されたワイヤレスマイクロホンＩＤは、ワイヤレスマイクロホンＩＤ変更手段４からワイヤレスマイクロホンＩＤ表示手段２に渡されて表示されるとともに、ワイヤレスマイクロホンＩＤ変更手段４から変更ワイヤレスマイクロホンＩＤ送出手段５に渡され、この変更ワイヤレスマイクロホンＩＤ送出手段５によりワイヤレスマイクロホン１０の変更ワイヤレスマイクロホンＩＤ取得手段６に伝達される（ステップＳ２０２）。
【００２５】
次いで、変更ワイヤレスマイクロホンＩＤ取得手段６は、変更されたワイヤレスマイクロホンＩＤを取得し、このワイヤレスマイクロホンＩＤを変更ワイヤレスマイクロホンＩＤ設定手段７に渡す（ステップＳ２０３）。
【００２６】
次いで、変更ワイヤレスマイクロホンＩＤ設定手段７は、ワイヤレスマイクロホン１０の記憶部に先に設定されていたワイヤレスマイクロホンＩＤを、変更ワイヤレスマイクロホンＩＤ取得手段６から渡されたワイヤレスマイクロホンＩＤに変更して設定する（ステップＳ２０４）。こうしてワイヤレスマイクロホンＩＤが変更された場合に、ワイヤレスマイクロホン１０は変更前の動作周波数とは異なった周波数で動作するようになる。
【００２７】
［第３の実施の形態］
図３は本発明の第３の実施の形態の要部ブロック図を示す。これは第２の実施の形態とは、さらにワイヤレスマイクロホンクレイドル１１（アダプタに含まれる）に、ワイヤレスマイクロホン１０に電源を供給するワイヤレスマイクロホン電源供給手段８を備えた点が相違している。この構成によれば、ワイヤレスマイクロホンクレイドル１１からワイヤレスマイクロホン１０に対して電源を供給するので、ワイヤレスマイクロホン１０の動作用電源の装着状態及び電圧に拘らず、ワイヤレスマイクロホン１０で設定されているワイヤレスマイクロホンＩＤの確認及び変更を行うことができるという効果も得られる。なお、本実施の形態はワイヤレスマイクロホン電源供給手段８を除き、第２の実施の形態と概ね同様の構成を有しているので、同一構成には同一符号を付与して説明を省略する。また、ワイヤレスマイクロホンＩＤ表示及び変更に関しては、第２の実施の形態と同様であるために説明を省略する。
【００２８】
本実施の形態においては、ワイヤレスマイクロホンクレイドル１１のワイヤレスマイクロホン電源供給手段８からワイヤレスマイクロホン１０に対して電源を供給し、この供給電源によりワイヤレスマイクロホン１０の動作用電源（通常は乾電池もしくは充電電池）の装着状態及び電圧に拘らず、変更ワイヤレスマイクロホンＩＤ取得手段６と変更ワイヤレスマイクロホンＩＤ設定手段７とによりワイヤレスマイクロホンＩＤの確認及び変更を行う。
【００２９】
ここで、本実施の形態の作用効果についてさらに説明する。ワイヤレスマイクロホン１０が動作するのは、ワイヤレスマイクロホン１０の動作用電源が装着され、かつ動作するための電圧がある場合（以下、動作可能状態という）に限定される。このような条件の下で、ワイヤレスマイクロホンＩＤを確認し、あるいは変更する場合に、当該ワイヤレスマイクロホンが動作可能状態にあるとは限らない。特に、最近のように多数本のワイヤレスマイクロホンを同時に使用する状況下においては、ＩＤ変更対象のワイヤレスマイクロホンが動作可能状態になければ、そのワイヤレスマイクロホンＩＤの確認や変更ができないというのは運用上効率が悪い。これに対し、本実施の形態のように、ワイヤレスマイクロホンクレイドル１１にワイヤレスマイクロホン電源供給手段８を搭載することで、ＩＤ変更対象のワイヤレスマイクロホンが動作可能状態にない場合でもワイヤレスマイクロホンＩＤの確認及び変更作業を行うことができ、作業の効率がよくなる。また、ワイヤレスマイクロホンＩＤの確認及び変更作業中は、ワイヤレスマイクロホン１０の動作用電源は使用されないために、本来の動作用電源の使用目的であるワイヤレスマイクロホンの音声伝送等の運用時間が延長されることとなる。
【００３０】
［第４の実施の形態］
図４は本発明の第４の実施の形態の要部ブロック図を示す。なお、本実施の形態は、請求項３に係る発明が適用されたものである。これは第３の実施の形態とは、さらにワイヤレスマイクロホンクレイドル１１（アダプタに含まれる）に、ワイヤレスマイクロホンＩＤ取得手段３により取得されたワイヤレスマイクロホンＩＤ及びワイヤレスマイクロホンＩＤ変更手段４により変更されたワイヤレスマイクロホンＩＤを編集し、編集された複数のワイヤレスマイクロホンＩＤをワイヤレスマイクロホンＩＤ表示手段２に表示させるワイヤレスマイクロホンＩＤ複数表示編集手段９を備えた点が相違している。この構成によれば、複数のワイヤレスマイクロホンＩＤを表示し、表示されたワイヤレスマイクロホンＩＤの状況により、ワイヤレスマイクロホンシステム全体が正しく運用されているか否かを確認できるという効果も得られる。なお、本実施の形態はワイヤレスマイクロホンＩＤ複数表示編集手段９を除き、第３の実施の形態と概ね同様の構成を有しているので、同一構成には同一符号を付与して説明を省略する。また、ワイヤレスマイクロホンＩＤの表示、変更に関しては、第２の実施の形態と同様であり、ワイヤレスマイクロホン１０に対する電源供給に関しては、第３の実施の形態と同様であるために説明を省略する。
【００３１】
図４において、ワイヤレスマイクロホンＩＤ複数表示編集手段９は、ワイヤレスマイクロホンＩＤ取得手段３によって取得されるか、あるいはワイヤレスマイクロホンＩＤ変更手段４によって変更された複数のワイヤレスマイクロホンＩＤを記憶し、この複数のワイヤレスマイクロホンＩＤの情報を編集してワイヤレスマイクロホンＩＤ表示手段２に表示させるものである。例えば、ワイヤレスマイクロホンＩＤ複数表示編集手段９は、複数のワイヤレスマイクロホンがワイヤレスマイクロホンクレイドル１１に装着され、同時に使用されていて、ワイヤレスマイクロホンの増加及び運用周波数の変更に応じ、ワイヤレスマイクロホンＩＤが変更された場合に、変更後のワイヤレスマイクロホンＩＤのリストを編集して表示させる。
【００３２】
ここで、本実施の形態の作用効果についてさらに説明する。
複数のワイヤレスマイクロホンを同時に使用する場合に、その運用周波数の管理は重要である。基本的には、運用計画に基づいて動作周波数を決めるため、少なくとも設定時点での周波数の重複はなく、また、ワイヤレスマイクロホンＩＤ変更についても周波数の重複はないように設定される。しかしながら、例えばワイヤレスマイクロホンの増加やシステム変更等でワイヤレスマイクロホンＩＤが更新された場合に、更新後のシステム全体のワイヤレスマイクロホンＩＤの状況により、正しく運用されているか否かを確認することが必要となる。これに対し、本実施の形態では、ワイヤレスマイクロホンＩＤ複数表示編集手段９により、複数のワイヤレスマイクロホンに割り当てられた周波数を一元管理し、この周波数を効率的に運用することができる。なお、第１の実施の形態乃至第３の実施の形態は、一つのワイヤレスマイクロホン１０に対して一つのワイヤレスマイクロホンＩＤが表示される場合を示すものである。
【００３３】
【発明の効果】
以上説明したように、本発明はワイヤレスマイクロホンを装着できるアダプタ（ワイヤレスマイクロホンクレイドルを含む）に、ワイヤレスマイクロホンＩＤを表示するワイヤレスマイクロホンＩＤ表示手段を設けることにより、ワイヤレスマイクロホンにワイヤレスマイクロホンＩＤ表示手段を設ける必要がないという優れた効果を有するマイクロホン識別番号表示装置及び表示方法を提供することができるものである。
【図面の簡単な説明】
【図１】本発明の第１の実施の形態のワイヤレスマイクロホン識別番号表示装置の構成を示すブロック図
【図２】本発明の第２の実施の形態のワイヤレスマイクロホン識別番号表示装置の構成を示すブロック図
【図３】本発明の第３の実施の形態のワイヤレスマイクロホン識別番号表示装置の構成を示すブロック図
【図４】本発明の第４の実施の形態のワイヤレスマイクロホン識別番号表示装置の構成を示すブロック図
【符号の説明】
１　ワイヤレスマイクロホンＩＤ送出手段
２　ワイヤレスマイクロホンＩＤ表示手段
３　ワイヤレスマイクロホンＩＤ取得手段
４　ワイヤレスマイクロホンＩＤ変更手段
５　変更ワイヤレスマイクロホンＩＤ送出手段
６　変更ワイヤレスマイクロホンＩＤ取得手段
７　変更ワイヤレスマイクロホンＩＤ設定手段
８　ワイヤレスマイクロホン電源供給手段
９　ワイヤレスマイクロホンＩＤ複数表示編集手段
１０　ワイヤレスマイクロホン
１１　ワイヤレスマイクロホンクレイドル
【図１】
2004015123.tif 000003
【図２】
2004015123.tif 000004
【図３】
2004015123.tif 000005
【図４】
2004015123.tif 000006